(57)【要約】      （修正有）【課題】生花やプリザーブドフラワーの花冠部を保護しつつ、簡便に配送可能な状態にできる花包装具を提供する。【解決手段】可撓性を有するプラスチックフィルムを漏斗形状に巻回した保護体１０と、該保護体の漏斗形状の底部を貫通し、漏斗形状の開放側に花冠部を装着する支柱部材５０とを有する。保護体は、支柱部材に取り付ける一又は複数の取付部３１を備えている。漏斗形状の保護体を積み重ねた場合であっても支柱部材を漏斗形状を有する保護体の巻回し中心線付近に常時位置させ続けることができ、保護体の変形を最小限に抑制するとともに、装着された花冠部６０の圧力変形を未然に回避することが可能となる。【選択図】図１
0003230096.tif 000002
【実用新案登録請求の範囲】
【請求項１】
可撓性を有するプラスチックフィルムを漏斗形状に巻回した保護体と、
該保護体の漏斗形状の底部を貫通し、漏斗形状の開放側に花冠部を装着する支柱部材と
を有し、
前記保護体は、前記支柱部材に取り付ける一又は複数の取付部を備えることを特徴とする花包装具。
【請求項２】
前記取付部は、前記保護体の一部の複数個所を折り曲げて形成されることを特徴とする請求項１記載の花包装具。
【請求項３】
前記取付部は、前記保護体の漏斗形状の底部から等距離の位置にてそれぞれ折り曲げて形成されていることを特徴とする請求項２記載のプリザーブド装飾体。
【請求項４】
前記取付部の端部に前記支柱部材を貫通することが可能な貫通穴を備えていることを特徴とする請求項１乃至３のいずれか一項に記載の花包装具。
【請求項５】
前記取付部の端部に前記支柱部材を挟む鉤部を備えていることを特徴とする請求項１乃至３のいずれか一項に記載の花包装具。
【考案の詳細な説明】
【技術分野】
【０００１】
本発明は、生花やプリザーブドフラワーの花冠部を支持しつつ、重ね合わせても花冠部が損傷しにくい花包装具に関する。
【背景技術】
【０００２】
従来、鉢花や切り花はフィルムなどの包装具によって包装された状態で店頭で販売されたり、配送されたりしていた。また、花の美しさを際立たせるべく、ハンカチ、タオル、布等で包装して配送することも多い。しかし、例えば配送途中に受ける衝撃などにより鉢花の植物の外観が変わってしまい、商品の価値が低下することも再三起きている。
【０００３】
また、花をハンカチ、タオル、布等で包装する場合には、花冠部を支持する金属性の棒の方が重いので、包装した状態で縦に維持しようが横に寝かせようが、花冠部がつぶれてしまうおそれがあった。
【０００４】
かかる状況を打破するために、例えば特許文献１では、プラスチックフィルムからなり、水平底部と、その外周を溶着接合により囲み他端を密封した適宜長さのプラスチックフィルムの筒状体とを備えた包装パックが開示されている。特許文献１では、筒状体の内部に鉢花や切り花を配置し、内部にエアーを封入して鉢花が密封包装される。このため、エアークッション作用により衝撃から植物を保護している。
【先行技術文献】
【特許文献】
【０００５】
【特許文献１】実開平０４−０４５２８６号公報
【考案の概要】
【考案が解決しようとする課題】
【０００６】
しかし、特許文献１では、エアークッション作用により内部の植物を保護するので、プラスチックフィルムを密閉するとともに、内部にエアーを封入しなければならず、工程が煩雑でありコスト高となるという問題点があった。
【０００７】
さらに、ハンカチ、タオル、布等で包装することが困難であり、商品価値を高めるような包装をすることも困難であるという問題点もあった。
【０００８】
本考案は斯かる事情を鑑みてなされたものであり、生花やプリザーブドフラワーの花冠部を保護しつつ、簡便に配送可能な状態にできる花包装具を提供することを目的とする。
【課題を解決するための手段】
【０００９】
上記目的を達成するために第１考案に係る花包装具は、可撓性を有するプラスチックフィルムを漏斗形状に巻回した保護体と、該保護体の漏斗形状の底部を貫通し、漏斗形状の開放側に花冠部を装着する支柱部材とを有し、前記保護体は、前記支柱部材に取り付ける一又は複数の取付部を備えることを特徴とする。
【００１０】
第１考案では、可撓性を有するプラスチックフィルムを漏斗形状に巻回した保護体と、花冠部を装着する支柱部材とを、一又は複数の取付部で取り付けているので、漏斗形状の保護体を積み重ねた場合であっても支柱部材を漏斗形状を有する保護体の巻回し中心線付近に常時位置させ続けることができ、保護体の変形を最小限に抑制するとともに、装着された花冠部の圧力変形を未然に回避することが可能となる。
【００１１】
また、第２考案に係る花包装具は、第１考案において、前記取付部は、前記保護体の一部の複数個所を折り曲げて形成されることが好ましい。これにより、保護体を一体成型することができ、安価に提供することが可能となる。
【００１２】
また、第３考案に係る花包装具は、第２考案において、前記取付部は、前記保護体の漏斗形状の底部から等距離の位置にてそれぞれ折り曲げて形成されていることが好ましい。これにより、保護体を一体成型した場合であっても支柱部材を漏斗形状を有する保護体の巻回し中心線付近に常時位置させ続けることができ、支柱部材に取り付けた花冠部を保護することが可能となる。
【００１３】
また、第４考案に係る花包装具は、第１乃至第３考案のいずれか１つにおいて、前記取付部の端部に前記支柱部材を貫通することが可能な貫通穴を備えていることが好ましい。これにより、保護体を支持部材に確実に固定することが可能となる。
【００１４】
また、第５考案に係る花包装具は、第１乃至第３考案のいずれか１つにおいて、前記取付部の端部に前記支柱部材を挟む鉤部を備えていることが好ましい。これにより、保護体を支持部材に確実に固定することが可能となる。
【考案の効果】
【００１５】
上記構成によれば、可撓性を有するプラスチックフィルムを漏斗形状に巻回した保護体と、花冠部を装着する支柱部材とを、一又は複数の取付部で取り付けているので、漏斗形状の保護体を積み重ねた場合であっても支柱部材を漏斗形状を有する保護体の巻回し中心線付近に常時位置させ続けることができ、保護体の変形を最小限に抑制するとともに、装着された花冠部の圧力変形を未然に回避することが可能となる。
【図面の簡単な説明】
【００１６】
【図１】本考案の実施の形態に係る花包装具の構成を示す二面図である。
【図２】本考案の実施の形態に係る花包装具の構成を示す展開図である。
【図３】本考案の実施の形態に係る花包装具の漏斗形状形成時の状態を示す斜視図である。
【図４】本考案の実施の形態に係る花包装具の取付部の他の取付状態を示す平面図である。
【図５】本考案の実施の形態に係る花包装具の取付部の他の構成を示す模式図である。
【図６】本考案の実施の形態に係る花包装具の取付部の他の構成を示す二面図である。
【考案を実施するための形態】
【００１７】
以下、本考案の実施の形態について、図面を参照しながら詳細に説明する。図１は、本考案の実施の形態に係る花包装具の構成を示す二面図である。図１（ａ）は、本実施の形態に係る花包装具の構成を示す正面図であり、図１（ｂ）は、本実施の形態に係る花包装具の取付部の構成を示す平面図であり、図１（ｃ）は、本実施の形態に係る花包装具の構成を示す平面図である。
【００１８】
図１に示すように、本実施の形態に係る花包装具１は、生花やプリザーブドフラワーの花冠部６０を支持する支柱部材５０、及び支柱部材５０に取り付けられている保護体１０で構成されている。支柱部材５０は、円柱状の金属部材であれば特に限定されるものではない。保護体１０は、可撓性を有するプラスチック製のフィルムであれば、特に材質は問わない。
【００１９】
図１に示すように、本実施の形態に係る花包装具１は、可撓性を有するプラスチックフィルムを漏斗形状に巻回した保護体１０の中心部に、花冠部６０を支持する支柱部材５０を配置し、保護体１０の一部を折り曲げて形成されている取付部３１により、保護体１０を支柱部材５０に取り付けている。
【００２０】
図２は、本考案の実施の形態に係る花包装具の構成を示す展開図である。図２に示すように、漏斗形状に巻き回す前は略扇型状の展開図となっており、展開図の中ほどには、略直角に折り曲げることでて取付部３１を形成する切り込みを設けている。図２の例では、切り込みは、展開したプラスチックフィルムを巻回して漏斗形状に形成した場合に底部から等距離になる３つの位置に設けている。
【００２１】
可撓性を有するプラスチックフィルムを巻回して保護体１０を形成するので、何らかの手段で固定しなければ漏斗形状を維持することはできない。そこで、本実施の形態では、巻回した状態で弾性力により開こうとする方向から差し込むことが可能な突起部２１を複数個所に設け、突起部２１を差し込むことが可能な位置に突起部２１と同数の挿入部２２とを設けている。これにより、保護体１０を漏斗形状に巻回した状態で突起部２１を挿入部２２に差し込むことにより、保護体１０は漏斗形状を維持することができるとともに、積み重ねることによる側面方向からの圧力によっても漏斗形状が崩れることがない。
【００２２】
図１（ｂ）及び図１（ｃ）に示すように、本実施の形態に係る花包装具１は、保護体１０を巻回して形成された保護体１０において、取付部３１の内側へ略９０度折り曲げ、支柱部材５０に取付部３１の貫通穴３２を差し込む。図３は、本考案の実施の形態に係る花包装具の漏斗形状形成時の状態を示す斜視図である。
【００２３】
図３に示すように、支柱部材５０に取付部３１の貫通穴３２を差し込むことにより支柱部材５０の位置を固定しているので、保護体１０の漏斗形状の巻回し中心線付近に位置するよう支柱部材５０を支持することができ、積み重ねられた場合であっても支柱部材５０の位置が変動しにくいので、支柱部材５０に取り付けられた花冠部６０の損傷を最小限に抑制することができる。
【００２４】
なお、図１の例では、取付部３１は３か所に形成されており、それぞれの取付部３１の端部に形成された貫通穴３２に支柱部材５０を挿入して支柱部材５０を固定しているが、取付部３１の個数は３か所に限定されるものではない。図４は、本考案の実施の形態に係る花包装具１の取付部３１の他の取付状態を示す平面図である。
【００２５】
図４（ａ）は、本実施の形態に係る花包装具１の取付部３１が２つの場合の取付状態を示す平面図であり、図４（ｂ）は、本実施の形態に係る花包装具１の取付部３１が４つの場合の取付状態を示す平面図である。図４（ａ）及び図４（ｂ）に示すように、取付部３１は２個であっても４個であっても良く、均等に支柱部材５０を固定することができれば取付部３１の個数は特に限定されるものではない。
【００２６】
また、取付部３１の端部に、貫通穴３２の代わりに支柱部材５０を挟む鉤部３３を備えていても良い。図５は、本考案の実施の形態に係る花包装具の取付部の他の構成を示す模式図である。
【００２７】
図５（ａ）は、本実施の形態に係る花包装具の取付部の他の構成を示す平面図であり、図５（ｂ）は、本実施の形態に係る花包装具の他の構成を示す平面図である。図５（ａ）及び図５（ｂ）に示すように、取付部３１の先端の鉤部３３を支柱部材５０に掛けて支柱部材５０を固定することで、貫通穴３２に支柱部材５０を挿入した場合と同様の効果が期待できる。
【００２８】
以上のように本実施の形態によれば、可撓性を有するプラスチックフィルムを漏斗形状に巻回した保護体１０と、花冠部６０を装着する支柱部材５０とを、一又は複数の取付部３１で取り付けているので、漏斗形状の保護体１０を積み重ねた場合であっても支柱部材５０を漏斗形状を有する保護体１０の巻回し中心線付近に常時位置させ続けることができ、保護体１０の変形を最小限に抑制するとともに、装着された花冠部６０の圧力変形を未然に回避することが可能となる。また、保護体の周囲をハンカチ、タオル、布等で巻回して包装することも容易となり、商品価値をさらに高めることも可能となる。
【００２９】
その他、本考案は上記実施例に限定されるものではなく、本発明の趣旨の範囲内であれば多種の変形、置換等が可能であることは言うまでもない。例えば上述した実施例では、取付部３１は、漏斗形状に巻き回された保護体１０の底部から等距離に位置するよう配置されているが、特にこれに限定されるものではなく、底部からの距離が取付部３１ごとに相違しても良い。
【００３０】
図６は、本考案の実施の形態に係る花包装具１の取付部の他の構成を示す二面図である。図６に示すように、３つの取付部３１がそれぞれ漏斗形状に巻き回された保護体１０の底部からの距離が相違している。斯かる構成であっても、支柱部材５０を漏斗形状に巻き回された保護体１０の巻回し中心線付近に維持することができ、同様の効果が期待できる。
【符号の説明】
【００３１】
１  花包装具
１０  保護体
３１  取付部
３２  貫通穴
３３  鉤部
５０  支柱部材
【図１】
0003230096.tif 000003
【図２】
0003230096.tif 000004
【図３】
0003230096.tif 000005
【図４】
0003230096.tif 000006
【図５】
0003230096.tif 000007
【図６】
0003230096.tif 000008